(57)【要約】      （修正有）【課題】より好適に頭皮のマッサージを行うことができる頭皮ケア装置を提供することができる。【解決手段】使用者の頭皮と接触するとともにモータ１２の駆動により動作される施術突起２２にて頭皮に刺激を付与させつつ、頭皮に直接若しくは間接的にミストを付与するミスト発生部３０が備えられる。ミスト発生部は、生成されたミストを放出するミスト放出口３３を有し、そのミスト放出口から放出されるミストが駆動源により動作される施術突起側を向くように構成されることが好ましい。【選択図】図２
2012011177.tif 000002
【特許請求の範囲】
【請求項１】
使用者の頭皮と接触される施術突起を有する施術子を駆動源の駆動により動作させて前記施術突起により前記頭皮に刺激を付与する頭皮ケア装置であって、
前記頭皮に直接若しくは間接的にミストを付与するミスト発生部が備えられたことを特徴とする頭皮ケア装置。
【請求項２】
請求項１に記載の頭皮ケア装置において、
前記ミスト発生部によって生成されたミストを放出するミスト放出口が前記施術子の外周側に配置されるとともに、該ミスト放出口から放出されたミストが前記施術子側を向くように構成されたことを特徴とする頭皮ケア装置。
【請求項３】
請求項１又は２に記載の頭皮ケア装置において、
前記施術子は、前記施術突起と、前記施術突起の少なくとも一部を上端面から外部に露出した状態で固定する固定部とを有し、
前記ミスト発生部は、前記施術子の外周部に設けられる筒状のミスト用ハウジングと、該ミスト用ハウジングの上端面に形成されて生成されたミストを前記頭皮に放出させるミスト放出口とを有し、前記ミスト用ハウジングの上端面が前記固定部の上端面よりも高い位置に設定されたことを特徴とする頭皮ケア装置。
【請求項４】
請求項１〜３のいずれか一項に記載の頭皮ケア装置において、
前記ミスト発生部は、液体を超音波によって霧化させる超音波振動子にて構成されたことを特徴とする頭皮ケア装置。
【請求項５】
請求項１〜３のいずれか一項に記載の頭皮ケア装置において、
前記ミスト発生部は、液体を熱によって霧化させるヒータにて構成されたことを特徴とする頭皮ケア装置。
【請求項６】
請求項５に記載の頭皮ケア装置において、
前記ミスト発生部を構成する前記ヒータにて生成された前記ミストを冷却する冷却手段を備えたことを特徴とする頭皮ケア装置。
【請求項７】
請求項６に記載の頭皮ケア装置において、
前記冷却手段は、前記ミスト発生部から前記施術突起まで連通させる第１ミスト供給路と、前記施術突起から前記ミスト放出口まで連通させる第２ミスト供給路とで構成されたことを特徴とする頭皮ケア装置。
【請求項８】
請求項７に記載の頭皮ケア装置において、
前記第２ミスト供給路と接続されて該第２ミスト供給路を通る前記ミストを更に冷却する冷却部が設けられたことを特徴とする頭皮ケア装置。
【請求項９】
請求項８に記載の頭皮ケア装置において、
前記冷却部は、前記第２ミスト供給路と連通されて外部からの空気の流入が可能な空気導入路と、該空気導入路中に外部から空気を取り込むファンとを備えたことを特徴とする頭皮ケア装置。
【請求項１０】
請求項１〜９のいずれか一項に記載の頭皮ケア装置において、
前記駆動源及び前記ミスト発生部の駆動を制御する制御部を備え、
前記制御部は、前記駆動源を駆動させて前記施術突起を動作した後に、前記ミスト発生部を駆動するように制御することを特徴とする頭皮ケア装置。
【請求項１１】
請求項１〜１０のいずれか一項に記載の頭皮ケア装置において、
前記駆動源及び前記ミスト発生部の駆動を制御する制御部を備え、
前記制御部は、前記ミスト発生部を停止させた後に前記駆動源を停止するように制御することを特徴とする頭皮ケア装置。
【発明の詳細な説明】
【技術分野】
【０００１】
本発明は、例えば、頭皮の活性化を図るための頭皮ケア装置に関するものである。
【背景技術】
【０００２】
従来、例えば特許文献１の頭皮ケア装置では、施術突起を備えた施術子が、駆動源の駆動力に基づき回転される出力軸に対して連結されており、出力軸の回転に伴って回転される施術子の施術突起を頭皮に接触させて刺激を与えることで、血流促進等の頭皮のケア効果（マッサージ効果）が得られるようになっている。
【先行技術文献】
【特許文献】
【０００３】
【特許文献１】特開平７−２１３３２８号公報
【発明の概要】
【発明が解決しようとする課題】
【０００４】
ところで、上記のような頭皮ケア装置では、施術子の施術突起を前記出力軸にて回転させることで頭皮に刺激を付与することができるようになっているが、より好適に頭皮のマッサージを行うことができる頭皮ケア装置の開発が望まれている。
【０００５】
本発明は、上記課題を解決するためになされたものであって、その目的は、より好適に頭皮のマッサージを行うことができる頭皮ケア装置を提供することにある。
【課題を解決するための手段】
【０００６】
上記課題を解決するために、本発明の頭皮ケア装置は、使用者の頭皮と接触し、駆動源の駆動により動作される施術突起にて頭皮に刺激を付与する頭皮ケア装置であって、頭皮に直接若しくは間接的にミストを付与するミスト発生部が備えられたこと特徴とする。
【０００７】
また上記構成において、ミスト発生部は、生成されたミストを放出するミスト放出口を有し、そのミスト放出口から放出されるミストが駆動源により動作される施術突起側を向くように構成されることが好ましい。
【０００８】
また上記構成において、施術子は、施術突起と、施術突起の少なくとも一部を上端面から外部に露出した状態で固定する固定部とを有し、記ミスト発生部は、施術子の外周部に設けられる筒状のミスト用ハウジングと、このミスト用ハウジングの上端面に形成されて生成されたミストを頭皮に放出させるミスト放出口とを有し、ミスト用ハウジングの上端面が固定部の上端面よりも高い位置に設定されることが好ましい。
【０００９】
また上記構成において、ミスト発生部は、液体を超音波にて霧化させる超音波振動子にて構成されたことが好ましい。
また上記構成において、ミスト発生部は、液体を霧化させるヒータにて構成されたことが好ましい。
【００１０】
また上記構成において、ヒータにて生成された前記ミストを冷却する冷却手段を備えることが好ましい。
また上記構成において、冷却手段は、前記ミスト発生部から前記施術突起までの第１ミスト供給路と、前記施術突起から前記ミスト放出口までの第２ミスト供給路とで構成されることが好ましい。
【００１１】
また上記構成において、第２ミスト供給路と接続されて該第２ミスト供給路を通る前記ミストを更に冷却する冷却部が設けられることが好ましい。
また上記構成において、冷却部は、前記第２ミスト供給路と連通されて外部からの空気の流入が可能な空気導入路と、該空気導入路中に外部から空気を取り込むファンとを備えることが好ましい。
【００１２】
また上記構成において、駆動源及びミスト発生部の駆動を制御する制御部を備え、制御部は、駆動源を駆動させて施術突起を動作した後に、ミスト発生部を駆動するように制御することが好ましい。
【００１３】
また上記構成において、駆動源及びミスト発生部の駆動を制御する制御部を備え、制御部は、ミスト発生部を停止させた後に駆動源を停止するように制御することが好ましい。
【発明の効果】
【００１４】
本発明によれば、より好適に頭皮のマッサージを行うことができる頭皮ケア装置を提供することができる。
【図面の簡単な説明】
【００１５】
【図１】本実施形態における頭皮ケア装置を示す斜視図である。
【図２】本実施形態における頭皮ケア装置の断面図である。
【図３】頭皮ケア装置の動作例について説明するためのフローチャートである。
【図４】頭皮ケア装置の動作例について説明するためのタイミングチャートである。
【図５】別例における頭皮ケア装置の断面図である。
【図６】別例における頭皮ケア装置の断面図である。
【図７】別例における頭皮ケア装置の断面図である。
【図８】別例における頭皮ケア装置の断面図である。
【図９】別例における頭皮ケア装置の断面図である。
【発明を実施するための形態】
【００１６】
以下、本発明を具体化した一実施形態を図面に従って説明する。
図１は、本実施形態における頭皮ケア装置１の斜視図である。頭皮ケア装置１は、外観が略直方体状の本体ハウジング１０と、この本体ハウジング１０の上部に構成される略円柱状の施術子２０と、この施術子２０の外周側に配設されるミスト発生部３０とを有している。本体ハウジング１０は、使用者による把持が可能な大きさに形成されるとともに、その側面１０ａには使用者が頭皮ケア装置１のオンオフ操作を行うスイッチ１１が設けられている。
【００１７】
本体ハウジング１０の内部には、図２に示すようにモータ１２が収容されており、該モータ１２は本体ハウジング１０に収容される制御部１３と電気的に接続されている。制御部１３は、該制御部１３の上部に配置される電源部１４及びスイッチ１１と電気的に接続されている。
【００１８】
モータ１２のモータ軸１２ａの先端には駆動ギヤ１２ｂが取り付けられ、この駆動ギヤ１２ｂは円盤状の回転体１５を回転させるための第１回転軸１５ａの下端に取り付けられた第１ギヤ１５ｂと噛合される。この第１回転軸１５ａは、本体ハウジング１０の上面１０ｂの開口部１０ｃに設けられたベアリング１６にて回転可能に支持されて本体ハウジング１０から突出し、第１回転軸１５ａは回転体１５の円中心に設けられた貫通孔１５ｃに挿通固定されている。回転体１５の上面１５ｄには、施術子２０が回転体１５と一体回転可能に支持されている。
【００１９】
施術子２０は、その上面（カバー２３の上面２３ａ）が本体ハウジング１０の上面１０ｂと平行となるように支持されていて、その上面に対して垂直方向に略円錐状の４つの施術突起２２の少なくとも一部露出された状態で立設されている。各施術突起２２は、回転軸線Ｌ１（回転中心）を中心とした同一円周上に等角度間隔に配置されている。この施術突起２２は可撓性を有する弾性体にて構成されるとともに、施術突起２２の先端部２２ａには中央に向かって半球状に凹んだ凹部２２ｂを有する。この凹部２２ｂは、吸着構造を構成するものであり、頭皮に押付けると自身の弾性にて頭皮に吸着（密着）するようになっている。施術子２０は、上面２３ａとこの上面２３ａの縁部から垂設された側壁２３ｂとを有するカバー２３にて外周が覆われ、施術突起２２に対応する部分に開口された挿通孔２３ｃから施術突起２２が突出するようになっている。
【００２０】
ミスト発生部３０は、前記施術子２０の外周側に配置されるとともに、カバー２３の側壁２３ｂと対向してこの側壁２３ｂを覆うような略円筒状を成すミスト用ハウジング３１を有している。
【００２１】
ミスト用ハウジング３１は、その下端部３１ａが前記本体ハウジング１０の上端部に当接した状態で固定されている。このミスト用ハウジング３１は中空形状に形成されるとともに、その内部に前記制御部１３によってその駆動が制御されるミスト発生装置３２が備えられている。
【００２２】
ミスト発生装置３２は、例えば図示しないタンクに貯留された精製水等の液体が超音波振動子に滴下されるとともに、その滴下された液体が超音波振動子の振動によって霧化するように構成されている。なお、超音波振動子を用いる構成のミスト発生装置３２は、タンクを小型化して液体の量を減らしても容易にミストを発生させることができる。また、ヒータ等によって液体を沸騰させることでミスト（蒸気）を付与するミスト発生装置と比較すると、粒径の小さなミストを生成することができるため、頭皮にそのミストを浸透させ易くすることができる。
【００２３】
円筒状のミスト用ハウジング３１の上端部３１ｂには周方向略等間隔に複数のミスト放出口３３が形成されており、このミスト放出口３３には開閉可能な弁３４が設けられている。この弁３４は例えばミスト発生時にはミストを前記ミスト放出口３３から放出可能とするとともに、ミストが発生していない時には外部からの塵等の侵入を抑制させることができるようになっている。
【００２４】
また、ミスト用ハウジング３１の上端部３１ｂは、径方向内側である回転軸線Ｌ１（施術突起２２）側ほど低くなるような傾斜面が形成されている。このような構成により、ミスト放出口３３が施術突起２２（径方向中心）側を向くようになるため、ミストを頭皮に対して容易に浸透（付与）させることができるようになっている。
【００２５】
ミスト用ハウジング３１の上端部３１ｂは、施術子２０の上面２３ａよりも高く、且つ施術突起２２の先端部よりも低い位置となるように設定されている。このため、使用者の頭皮に施術突起２２を当接させつつ、回転される施術子２０の上面２３ａとは当接されない状態とすることができる。これにより、回転する部材としては頭皮との接触が施術突起２２に限定することができるため、所望の刺激を頭皮に付与することができるようになっている。
【００２６】
またミスト用ハウジング３１の下部には外部と連通される貫通孔３５が形成されている。この貫通孔３５は、例えばミスト用ハウジング３１と施術子２０との間に水分が貯まった場合に排水することができるようになっている。また、ミスト用ハウジング３１と施術子２０との間に塵等が貯まった場合に、洗い流すことができるようになっている。
【００２７】
次に、上記のように構成された頭皮ケア装置１の一動作例について図３及び図４を用いて説明する。
頭皮ケア装置１に備えられる制御部１３は、電源スイッチ１１がオン操作されると（図３においてステップＳ１０）、モータ１２に電力供給を行って施術子２０を回転駆動させるとともに制御部１３内のタイマー１３ａによる時間計測を開始する（ステップＳ２０）。このように、施術子２０を回転軸線Ｌ１上で回転駆動させることで、各施術突起２２の先端部２２ａに設けた凹部２２ｂが頭皮に密着するため、人の手のマッサージのような施術子２０の周回運動が頭皮側に効率的に伝達され、頭皮に効果的な刺激を付与することができるようになっている。
【００２８】
その後、制御部１３は、電源スイッチ１１がオン操作されてからタイマー１３ａによる計測時間が所定時間Ｔ１（例えば６０秒）経過されると（ステップＳ３０）、ミスト発生装置３２の例えば超音波振動子に電力を供給するようになっている。これにより、施術子２０（施術突起２２）による刺激に加えてミストを同時に付与することができるようになっている。また、このように施術子２０の駆動から所定時間Ｔ１経過後にミストを発生させることで、予め施術突起２２によって頭皮をほぐした状態でミストを付与することができるようになっている。
【００２９】
そして、制御部１３はミスト発生部３０（ミスト発生装置３２）が駆動されてから所定時間Ｔ２（例えば６０秒）経過後、ミスト発生装置３２の駆動を停止させるようになっている。また、制御部１３はタイマー１３ａによる計測開始から所定時間Ｔ３（例えば１８０秒）経過後、前記モータ１２の駆動を停止させて、本装置１による頭皮のマッサージを終了させるようになっている。このように、施術突起２２の駆動停止よりも前にミスト発生装置３２の駆動を停止させてミストの供給を停止させることで、過剰な水分供給を抑えることができるようになっている。
【００３０】
次に、本実施形態の特徴的な作用効果を記載する。
（１）本実施形態の頭皮ケア装置１では、使用者の頭皮と接触するとともにモータ１２の駆動により動作される施術突起２２にて頭皮に刺激を付与させつつ、頭皮に直接若しくは間接的にミストを付与するミスト発生部３０が備えられる。このように施術突起２２により頭皮に刺激を付与しつつ、ミストを同時に供給させることができる。このようにミスト（水分）で頭皮を湿らせることで、頭皮を柔らかくした状態で施術突起２２によるマッサージ（施術）を実施することができる。
【００３１】
（２）ミスト発生部３０は、生成されたミストを放出するミスト放出口３３を有し、その放出口３３がモータ１２により動作される施術突起２２側を向くようにハウジング３１の上面が傾斜される。このようにミスト放出口３３が施術突起２２（径方向中心）側を向くように構成することで、ミストを頭皮に対して容易に浸透（付与）させることができる。
【００３２】
（３）施術子２０は、施術突起２２と、施術突起２２の少なくとも一部を上面２３ａから外部に露出した状態で固定する固定部としてのカバー２３とを有している。ミスト発生部３０は、施術子２０の外周部に設けられる筒状のミスト用ハウジング３１と、このミスト用ハウジング３１の上端部３１ｂに形成されて生成されたミストを頭皮に放出させるミスト放出口３３とを有している。そしてミスト用ハウジング３１の上端部３１ｂがカバー２３の上面２３ａよりも高い位置に設定される。このため、使用者の頭皮に施術突起２２を当接させつつ、回転される施術子２０の上面２３ａとは当接されない状態とすることが可能とされる。これにより、回転する部材としては頭皮との接触が施術突起２２に限定することができるため、所望の刺激を頭皮に付与することができる。
【００３３】
（４）ミスト発生部３０を構成するミスト発生装置３２は、液体を超音波にて霧化させる超音波振動子にて構成される。このようにミスト発生部３０のミスト発生装置３２を超音波振動子にて構成することで、例えばヒータによって液体を沸騰させる構成のミスト発生装置と比較して装置３２自体の小型化を図ることができる。また液体を超音波振動によって霧化させる構成であるため、振動数を一定とすることで霧化されたミストの粒径を均一にすることができるとともに、粒径自身も前記ヒータタイプのミスト発生装置の場合と比較して小径とすることが可能となる。
【００３４】
（５）モータ１２及びミスト発生装置３２の駆動を制御する制御部１３は、モータ１２を駆動させて施術突起２２を動作した後に、ミスト発生装置３２を駆動するように制御する。このように施術子２０の駆動から所定時間Ｔ１経過後にミストを発生させることで、予め施術突起２２によって頭皮をほぐした状態でミストを付与することができる。
【００３５】
（６）また、制御部１３は、ミスト発生装置３２を停止させた後にモータ１２を停止するように制御する。このように、施術突起２２の駆動停止よりも前にミスト発生装置３２の駆動を停止させてミストの供給を停止させることで、過剰な水分供給を抑えることができる。
【００３６】
尚、本発明の実施形態は、以下のように変更してもよい。
・上記実施形態では、施術子２０を軸線Ｌ１上で回転させる構成としたが、これに限らず、図５及び図６に示すように軸線Ｌ１から径方向にずらした位置（軸線Ｌ１から偏心した軸線Ｌ２上）でベアリング２１によって施術子２０を回転可能とする構成を採用してもよい。
【００３７】
・上記実施形態では、本体ハウジング１０に対して１つの施術子２０を設ける構成を採用したが、例えば図６に示すように２つ設ける構成や、３つ以上設ける構成を採用してもよい。なお、施術子２０を複数設けるとともに、各施術子２０が偏心動作される場合においては、回転する施術子２０の対となる任意の２つが、同位相で、反対方向に回転されるとき、使用者の頭皮を挟み込むような挟み揉みを実施することができる。このとき、頭皮は、施術子２０の動きに応じて伸縮し、頭皮の毛穴も広がったり縮んだりする。毛穴が広がった時、美容液等の剤が含まれたミストを放出すると、美容液等の剤成分を毛穴の奥まで浸透させやすい。その後、施術子２０の動きに合わせて毛穴が縮むことで、美容液等の剤成分を一旦閉じこめる。更に施術子２０が動作し、毛穴を広げたり縮めたりを繰返すことで、美容液等の剤成分をさらに毛穴の奥へと押し込まれ、美容液等の剤成分を浸透させることができる。
【００３８】
・上記実施形態では、ミスト発生装置３２をミスト用ハウジング３１の内部に設ける構成を採用したが、これに限らず、図７に示すように本体ハウジング１０内部に設けて前記ミスト用ハウジング３１のミスト放出口３３から供給する構成を採用してもよい。ここで、本体ハウジング１０のミスト発生装置３２を収容する収容スペースがミスト用ハウジング３１と比較して大きい場合、図７に示すようにヒータ３２ｄによるミスト発生装置３２を設ける構成が望ましい。
【００３９】
図７に示すミスト発生装置３２について具体的に説明する。ミスト発生装置３２を構成するタンク３２ａ内に予め液体が予め流入された状態で止水ピンが設けられた蓋部により開口部が閉止され、その蓋部が下側となるようにタンクホルダ３２ｂに設置されている。タンクホルダ３２ｂには、止水ピンに対応する形状の突出ピン（図示略）が設けられている。タンク３２ａは液体が注入された状態でタンクホルダ３２ｂに設置されることで、止水ピンが突出ピンにより押し込まれて水密性が解除され液体を流出させるものであり、タンクホルダ３２ｂにはタンク３２ａから流出した液体が貯留される。タンクホルダ３２ｂに貯留された液体はタンクホルダ３２ｂの下部に接続された液体流通路３２ｃ中に一部が貯留されるとともに、その液体がこの液体流通路３２ｃ上の液体を加熱するヒータ３２ｄによって加熱される。ヒータ３２ｄによって加熱された液体は霧化（気化）されて液体流通路３２ｃから連続するミスト流通路３２ｅを介して前記ミスト用ハウジング３１内部を通って前記放出口３３からミストが放出されるようになっている。ここで、発熱量の高いヒータ３２ｄを利用することでミスト流通路３２ｅ内の液体を大量に霧化させることができるため、上記実施形態のように超音波振動子により構成されるミスト発生装置３２と比較して大量のミストを頭皮に付与することが可能となる。
【００４０】
上記構成のように、液体（水）をヒータ３２ｄにて霧化させてミストを発生するようにミスト発生装置３２（ミスト発生部）を構成した場合、図８及び図９に示すように熱せられたミストを冷却する冷却手段を設ける構成を採用してもよい。
【００４１】
・次に、冷却手段及びこの冷却手段を備えた頭皮ケア装置１の一例を図８を用いて説明する。
頭皮ケア装置１は、前記施術突起２２が設けられる本体ハウジング１０の上面１０ｂとは反対側である下面１０ｄにミスト発生装置３２を構成するタンク３２ａがタンクホルダ（図示略）に対して着脱可能に設けられる。またタンク３２ａは、本体ハウジング１０の下面１０ｄに形成される貫通孔１０ｅから出し入れ可能であり、前記貫通孔１０ｅにはこの貫通孔１０ｅからの前記タンク３２ａの脱落を防止する蓋４０が開閉可能に設けられている。
【００４２】
前記タンクホルダには、タンク３２ａ内に予め液体が流入された状態で止水ピン４１が設けられた蓋部により開口部が閉止され、その蓋部が上側にとなるように設置されている。また、前記タンクホルダには、止水ピン４１に対応する形状で止水ピン４１とタンク３２ａの装着方向において当接する凹状のピン受け部４３が設けられている。このピン受け部４３は、網状の耐熱性部材（例えば金属など）で構成されるとともに、その外側が耐熱性の吸水スポンジ部材４４で覆われている。この吸水スポンジ部材４４の外側には、この吸水スポンジ部材４４を覆う態様でヒータ４５が設けられている。
【００４３】
上記のように構成されたミスト発生装置３２は、断熱材からなる箱状の被覆部４６でその略全体が覆われている。
またミスト発生装置３２を構成する吸水スポンジ部材４４には、前記タンク３２ａ設置側とは反対側に、吸水スポンジ部材４４から蒸発したミスト（蒸気）をミスト放出口３３から放出するためのミスト供給路５０が設けられている。
【００４４】
ミスト供給路５０は、ミスト発生装置３２から施術突起２２まで連通させる第１ミスト供給路５１と、施術突起２２からミスト放出口３３まで連通させる第２ミスト供給路５２とで構成される。
【００４５】
ミスト供給路５０を構成する第１ミスト供給路５１は、前記吸水スポンジ部材４４からのミストの流出が可能となる態様で基端側が接続される上流側管路部材５３を備える。この上流側管路部材５３には、その先端側で多流路型ロータリージョイント５４を介して第１回転軸１５ａ内部に配設される二重管５５の第１ミスト供給路５１を構成する内管部材５５ａの基端と接続される。第１ミスト供給路５１を構成する内管部材５５ａは、その先端が凸状の施術突起２２の内面に当接し、その内面に沿って配設される。
【００４６】
そして、第１回転軸１５ａ内部に配設される二重管５５の第２ミスト供給路５２を構成する外管部材５５ｂの基端が前記内管部材５５ａの先端部と接続されるようになっている。このため、ミスト発生装置３２からの熱せられたミスト（蒸気）の熱が前記内管部材５５ａ及び外管部材５５ｂを介して施術突起２２に伝達されるようになっている。
【００４７】
外管部材５５ｂは、その先端がロータリージョイント５４を介して下流側管路部材５６の基端と接続される。この下流側管路部材５６は、ミスト用ハウジング３１の下端部３１ａに形成される貫通孔と接続されてミスト放出口３３と連通される。
【００４８】
ここで、第２ミスト供給路５２を構成する下流側管路部材５６には湿度センサ６０と温度センサ６１とを備え、各センサ６０，６１は制御部１３と電気的に接続されている。
上記のように構成された頭皮ケア装置１の一動作例について同図８を用いて説明する。
【００４９】
タンク３２ａに液体（水）が注入された状態でタンク３２ａをタンクホルダに設置し、前記蓋４０が閉められる。すると、止水ピン４１がピン受け部４３と当接した後に、止水ピン４１が下方（タンク３２ａ側）に移動されて水密性が解除されてタンク３２ａ内の液体がタンク３２ａ外部に流出する。タンク３２ａから流出した液体は耐熱性を有する吸水スポンジ部材４４に染み込む。そして、前記スイッチ１１が操作されてオン状態とされるとモータ１２が作動して施術子２０（施術突起２２）が回転するようになっている。このとき、ヒータ４５が加熱されスポンジ部材４４に含まれる液体が蒸発するようになっている。
【００５０】
蒸発したミスト（蒸気）は、第１ミスト供給路５１を通り施術突起２２まで供給される。これにより、施術突起２２がミストによって温められる。その後、ミストは第２ミスト供給路５２を通り、ミスト用ハウジング３１を介してミスト放出口３３から装置１外へ放出され頭皮へ供給される。ここでミスト発生装置３２の熱源であるヒータ４５は断熱材からなる被覆部４６で覆われているため、効率よく吸水スポンジ部材４４に熱を伝えることができるとともに、本体ハウジング１０内の温度上昇を抑えることができる。
【００５１】
またミストは、冷却手段としての第１及び第２ミスト供給路５１，５２を通ることによって徐々に温度が低下するため、ミスト放出口３３から放出される時点では使用者に対して熱すぎるミストを付与することが抑えられる。また、ミスト（蒸気）の熱が第１及び第２ミスト供給路５１，５２を介して施術突起２２に伝達されるためこの施術突起２２にて頭皮をマッサージすることで、マッサージ効果を高めることができる。
【００５２】
なお、第２ミスト供給路５２（下流側管路部材５６）の温度センサ６１は、ミストの温度が一定温度（閾値）以上であれば制御部１３を介してヒータ４５の温度を下げる。これによって使用者に対して熱すぎるミストを付与することがより確実に抑えられる。このとき、ヒータ４５の温度を下げる閾値は温度センサ６１が検知した温度が４２度以下であることが好ましい。また、湿度センサ６０はスイッチ１１がオンされてから湿度が上昇した後、低下し始めたら制御部１３を介してヒータ４５への電流の供給を停止させるようになっている。これによって、タンク３２ａ内の液体が空になってもヒータによる空焚きを抑えることが可能となる。
【００５３】
・次に、冷却手段及びこの冷却手段を備えた頭皮ケア装置１の他の例を図９を用いて説明する。本構成の頭皮ケア装置１は、図８に示す上記構成の頭皮ケア装置１と比較して第２ミスト供給路５２において、前記ミストを更に冷却する冷却部７０を設けた点が相違する。従って、以下には、図８に示す上記構成の頭皮ケア装置と同様の構成については同一の符号を付してその詳細な説明を割愛する。
【００５４】
本構成の頭皮ケア装置１には、第２ミスト供給路５２と連通されて、そのミスト供給路５２内を通るミストを更に冷却する冷却部７０が設けられる。この冷却部７０は、本体ハウジング１０の外部から空気の流入が可能な空気導入路としての管路部材７１と、この管路部材７１内の途中に設けられて制御部１３と電気的に接続されるファン７２とで構成される。
【００５５】
管路部材７１はその基端が第２ミスト供給路５２を構成する下流側管路部材５６と接続されるとともに、管路部材７１の先端が本体ハウジング１０の上面１０ｂに形成される貫通孔１０ｆと接続される。このため、管路部材７１内に設けられるファン７２が制御部１３によって駆動されることで、本体ハウジング１０（装置１）の外部から空気を第２ミスト供給路５２（下流側管路部材５６）に供給することが可能となる。
【００５６】
上記のように構成された頭皮ケア装置１の一動作例について同図９を用いて説明する。
タンク３２ａに液体（水）が注入された状態でタンク３２ａをタンクホルダに設置し、前記蓋４０が閉められる。すると、止水ピン４１がピン受け部４３と当接した後に、止水ピン４１が下方（タンク３２ａ側）に移動されて水密性が解除されてタンク３２ａ内の液体がタンク３２ａ外部に流出する。タンク３２ａから流出した液体は耐熱性を有する吸水スポンジ部材４４に染み込む。そして、前記スイッチ１１が操作されてオン状態とされるとモータ１２が作動して施術子２０（施術突起２２）が回転するようになっている。このとき、ヒータ４５が加熱されスポンジ部材４４に含まれる液体が蒸発するようになっている。そして、例えば温度センサ６１による第２ミスト供給路５２内の温度が所定温度になった後に管路部材７１内のファン７２が回転し外部より空気が第２ミスト供給路５２内に送りこまれる。ミスト（蒸気）と空気が合流するとミストの温度が下がる。
【００５７】
温度センサ６１はミストの温度が前記所定温度以上だと制御部１３を介してファン７２の回転数を上げて第２ミスト供給路５２内に送りこまれる空気の量を増やしてミストの熱を下げ、使用者の頭皮に付与するミストの温度を好適に下げることが可能となる。また、制御部１３はファン７２の制御に加えてヒータ４５を制御してミスト（蒸気）の温度を下げるような構成としてもよい。また、ファン７２の回転数は一定としてヒータ４５を制御部１３にて制御する構成を採用してもよい。なお、前記ファン７２は外部より水が浸入する可能性があるため、防水構造であることが望ましい。
【００５８】
・上記実施形態では、ミスト発生部３０を構成するミスト発生装置３２を超音波振動子によって液体を霧化させる構成としたが、これに限らない。例えば図７に示すようにヒータ３２ｄによって液体を霧化させる構成や、霧吹き等で知られるベンチュリ効果を利用した構成のミスト発生装置を構成してもよい。
【００５９】
・上記実施形態では、蒸留水を超音波振動子によりなるミスト発生装置３２によって霧化させる構成としたが、蒸留水に限らない。例えば、水道水を霧化させる構成を採用してもよい。また、美容液等の剤が含まれた液体を霧化させる構成を採用してもよい。
【００６０】
・上記実施形態では、所定時間Ｔ１を６０秒に設定したが、これに限らず、６０秒〜１２０秒程度の範囲や６０秒〜３００秒程度の範囲に設定してもよい。
また、所定時間Ｔ２を６０秒に設定したが、これに限らず、６０秒〜１８０秒程度の範囲や６０秒〜１２０秒程度の範囲に設定してもよい。
【００６１】
また、所定時間Ｔ３を１８０秒に設定したが、これに限らず、１２０秒〜６００秒程度の範囲や１２０秒〜３００秒程度の範囲に設定してもよい。
・上記実施形態では、貫通孔３５を形成したが、省略した構成を採用してもよい。
【００６２】
・上記実施形態では、施術子２０の周囲に筒状のミスト用ハウジング３１を設けるとともに、このミスト用ハウジング３１の一端側に形成されたミスト放出口３３からミストを放出する構成としたが、これに限らない。例えば、施術子２０のうちのカバー２３の上面２３ａにミスト放出口を設けるとともに、このミスト放出口からミストを放出する構成を採用してもよい。
【００６３】
・上記実施形態では、施術子２０は、モータ１２の駆動力によって回転される構成としたが、これに限らず、例えば、振動を付与する構成や回転及び振動を付与する構成であってもよい。
【００６４】
・上記実施形態では、施術子２０の施術突起２２の先端部２２ａに半球状に凹んだ凹部２２ｂを形成したが、施術突起２２の形状はこれに限らない。例えば先端側（上側）に凸状をなす球面状の凸部を形成してもよい。また、先端部２２ａが平面状であってもよい。また、先端部２２ａに更に小さな突起を形成してもよい。
【符号の説明】
【００６５】
１…頭皮ケア装置、１３…制御部、２０…施術子、２２…施術突起、２３…カバー（固定部）、２３ａ…上面（上端面）、３０…ミスト発生部、３１…ミスト用ハウジング、３１ｂ…上面（上端面）、３２…ミスト発生部を構成するミスト発生装置、３２ｄ，４５…ヒータ、３３…ミスト放出口、５０…ミスト供給路（冷却手段）、５１…第１ミスト供給路（冷却手段）、５２…第２ミスト供給路（冷却手段）、７０…冷却部、７１…冷却部を構成する管路部材、７２…冷却部を構成するファン。
【図１】
2012011177.tif 000003
【図２】
2012011177.tif 000004
【図３】
2012011177.tif 000005
【図４】
2012011177.tif 000006
【図５】
2012011177.tif 000007
【図６】
2012011177.tif 000008
【図７】
2012011177.tif 000009
【図８】
2012011177.tif 000010
【図９】
2012011177.tif 000011